(57)【要約】【課題】外部接続コネクタ２１が組み込まれた取付部１５をカメラ本体１に取り付けて構成されるカメラで、外部接続コネクタ２１の組み換えの作業性を向上させる。【解決手段】外部接続コネクタ２１が組み込まれた取付部１５をカメラ本体１に取り付けて構成されるカメラで、カメラ本体１は、リアフレーム１３とケース１２を有しており、リアフレーム１３の面からケースの底面におよぶ取付孔１４を有している。外部接続コネクタ２１が組み込まれた取付部１５が、カメラ本体１が有する取付孔１４に対して、カメラ本体１のリアフレーム１３の背面の方向とケース１２の底面の方向の両方向で装着されることが可能である構造を有する。【選択図】  図１
2010091735.tif 000002
【特許請求の範囲】
【請求項１】
外部接続コネクタが組み込まれた取付部をカメラ本体に取り付けて構成されるカメラにおいて、
前記カメラ本体は、リアフレームとケースを有しており、前記リアフレームの面から前記ケースの底面におよぶ取付孔を有しており、
前記外部接続コネクタが組み込まれた取付部が、前記カメラ本体が有する前記取付孔に対して、前記カメラ本体の前記リアフレームの背面の方向と前記ケースの底面の方向の両方向で装着されることが可能である構造を有する、
ことを特徴とするカメラ。
【発明の詳細な説明】
【技術分野】
【０００１】
本発明は、カメラに関し、特に、外部接続コネクタの組み換えの作業性を向上させたカメラに関する。
【背景技術】
【０００２】
図４（ａ）、（ｂ）には、従来機種に係るカメラの外部接続コネクタの取付構造の例を示してある。
図４（ａ）に示されるように、カメラ本体１０１は、フロントフレーム１１１、ケース１１２、リアフレーム１１３から形成されている。外部接続コネクタ１１４は、リアフレーム１１３にナット１１５で締め付けて固定されており、外部接続コネクタ１１４の内部側には内部基板Ａ１２３がはめ込まれてハンダを盛り付けて固定されている。また、内部基板Ａ１２３には内部基板Ｂ１２４がネジで取り付けられている。また、外部接続コネクタ１１４に外部コネクタ１２１が接続されており、カメラ本体１０１の背面の壁１３１の中を通っている。
【０００３】
一方、図４（ｂ）に示されるように、外部接続コネクタ１１４に外部コネクタ１２１を接続するときに、カメラの設置場所により、カメラ本体１０１の背面に壁１３１が存在して、外部コネクタ１２１を装着することが不可能な場合には、変換ブロック１２２に外部接続コネクタ１１４をナット１１５で締め付けて固定し、変換ブロック１２２をリアフレーム１１３にネジで取り付け、外部コネクタ１２１を底面に装着転換して接続している。
【発明の開示】
【発明が解決しようとする課題】
【０００４】
しかしながら、上記した従来技術に係る外部接続コネクタの取付構造では、外部接続コネクタの実装を背面方向から底面方向に転換する場合に、外部接続コネクタをリアフレームから取り外して、変換ブロックを設けることを必要とするうえに、組み換えが煩雑であった。
本発明は、このような従来の事情に鑑み為されたもので、外部接続コネクタの組み換え時における作業性を向上させることができるカメラを提供することを目的とする。
【課題を解決するための手段】
【０００５】
上記目的を達成するため、本発明では、外部接続コネクタが組み込まれた取付部（接続コネクタ部）をカメラ本体に取り付けて構成されるカメラにおいて、次のような構成とした。
すなわち、前記カメラ本体は、リアフレームとケースを有しており、前記リアフレームの面（背面）から前記ケースの面（底面）におよぶ取付孔を有している。そして、前記外部接続コネクタが組み込まれた取付部が、前記カメラ本体が有する前記取付孔に対して、前記カメラ本体の前記リアフレームの背面の方向と前記ケースの底面の方向の両方向で装着されることが可能である構造を有する。
従って、外部接続コネクタの組み換え時における作業性を向上させることができる。
【０００６】
一構成例として、次のような構成とした（例えば、図１参照。）。
すなわち、前記外部接続コネクタが組み込まれた取付部（接続コネクタ部）は、当該取付部が前記カメラ本体が有する前記取付孔に装着された状態で前記取付孔を覆う形状を有する。
ここで、一例として、前記カメラ本体が有する前記取付孔は、リアフレームの面（背面）の一部を切り抜くとともに、それに隣接するケースの面（底面）の一部を切り抜いたものであり、全体としてＬ字状の切り抜きを用いることができ、この場合、当該取付孔を覆う取付部（接続コネクタ部）の形状もＬ字状となる。また、リアフレームの面の切り抜きの形状とケースの面の切り抜きの形状としては、例えば、同一形状の正方形又は長方形を用いることができる。
【０００７】
他の一構成例として、次のような構成とした（図３参照。）。
すなわち、前記外部接続コネクタが組み込まれた取付部（接続コネクタ部）は、面状（又は、略面状）の形状を有している。なお、取付部（接続コネクタ部）は、厚さを有していてもよい。
更に、前記外部接続コネクタが組み込まれた取付部が前記カメラ本体が有する前記取付孔に装着された状態で前記取付孔を覆う形状（例えば、Ｌ字状）を有する固定板を備えた。
【発明の効果】
【０００８】
以上説明したように、本発明に係るカメラによると、例えば、カメラ本体に対して背面に外部コネクタがのびるように外部接続コネクタをカメラ本体の背面に装着する状態と、カメラ本体に対して底面に外部コネクタがのびるように外部接続コネクタをカメラ本体の底面に装着する状態とを組み換える作業性を向上させることができる。
【発明を実施するための最良の形態】
【０００９】
本発明に係る実施例を図面を参照して説明する。
図１は、本発明の一実施例に係るカメラ本体１に装着された外部接続コネクタ２１の取付構造をリアフレーム１３の後方から見た分解斜視図である。
図２（ａ）、（ｂ）は、本発明の一実施例に係るカメラ本体１に装着された外部接続コネクタ２１の取付構造をカメラ本体１の側面（例えば、図１に示される左側）から見た断面図である。
【００１０】
カメラ本体１は、フロントフレーム１１、ケース１２、リアフレーム１３から形成されており、カメラ本体１にはリアフレーム１３からケース１２の底面におよぶ取付孔１４が設けられている。
接続コネクタ部１５は、外部接続コネクタ２１を取付板２２にナット２３で締め付けて固定して、外部接続コネクタ２１の内部側に、内部接続コネクタ２５が実装されたコネクタ基板２４をはめ込んでハンダを盛り付けて固定したものとなっている。
【００１１】
この接続コネクタ部１５が、カメラ本体１に設けられている取付孔１４に取り付けられている。内部接続コネクタ２５と内部基板Ｂ３３は、接続ケーブル３４で接続されて（繋がれて）いる。
また、内部基板Ａ３２には内部基板Ｂ３３がネジで取り付けられている。また、外部接続コネクタ２１に外部コネクタ３１が接続されている。
【００１２】
ここで、図２（ａ）、（ｂ）に示されるように、外部コネクタ３１を背面から底面へ装着転換する場合には、カメラ本体１から接続コネクタ部１５を取り外して、接続コネクタ部１５を背面から底面へ方向転換して、カメラ本体１に取り付ける。
なお、図２（ａ）は接続コネクタ部１５をカメラ本体１の背面に取り付けた場合を示しており、図２（ｂ）は接続コネクタ部１５をカメラ本体１の底面に取り付けた場合を示している。
【００１３】
次に、図３には、内部接続コネクタ２５と内部基板Ｂ３３との接続ケーブル３４がフラットタイプである場合における外部接続コネクタの取付構造の一例を示してある。
この場合、図１に示される場合と比べて、取付板２２ａが平面状とされて接続コネクタ部１５ａが構成される。また、図１に示される取付板２２と同様な形状を有する固定板４１が設けられる。
【００１４】
図３に示される構成では、接続コネクタ部１５ａの装着変換のときに起き得る接続ケーブル３４の接触部反転を、図３に示される固定板４１を設けて、接続コネクタ部１５ａは反転させずに背面から底面へ移動させ、固定板４１のみを反転させてカメラ本体１に共に取り付けることにより、解消することができる。
【００１５】
以上のように、本例のカメラにおけるコネクタの取付構造では、外部接続コネクタ２１が固定されたコネクタ取付部材（接続コネクタ部１５、１５ａ）を、カメラ本体１のリアフレーム１３からケース１２の底面におよぶ取付孔１４に取り付けるに際して、カメラ本体１の背面と底面の両方向で装着することが可能な構造とした。
また、本例の図３に示されるような構成では、カメラの外部接続コネクタ２１をカメラ本体１の背面から底面に装着転換する場合に、接続コネクタ部１５ａを反転することなく装着転換することが可能である。
【００１６】
従って、本例のカメラにおけるコネクタの取付構造では、外部接続コネクタ２１を背面方向から底面方向に装着変換する作業（組み換えの作業）を容易に行うことができ、外部接続コネクタ２１の組み換えの作業性を向上させることができる。このように、外部接続コネクタ２１の組み換え時における部品レスや作業性を向上させることができる。
【００１７】
ここで、本発明に係るシステムや装置などの構成としては、必ずしも以上に示したものに限られず、種々な構成が用いられてもよい。また、本発明は、例えば、本発明を実現するための方法或いは方式などとして提供することも可能であり、また、種々なシステムや装置として提供することも可能である。
また、本発明の適用分野としては、必ずしも以上に示したものに限られず、本発明は、種々な分野に適用することが可能なものである。
【図面の簡単な説明】
【００１８】
【図１】本発明の一実施例に係るカメラ本体と接続コネクタ取付構造を後方から見た分解斜視図である。
【図２】（ａ）及び（ｂ）は本発明の一実施例に係るカメラ本体と接続コネクタ取付構造の断面図である。
【図３】本発明の一実施例に係る接続ケーブルがフラットタイプである場合における外部接続コネクタの取付構造の一例を示す図である。
【図４】（ａ）及び（ｂ）は従来技術に係る外部接続コネクタの取付構造の断面図である。
【符号の説明】
【００１９】
１、１０１・・カメラ本体、  １１、１１１・・フロントケース、  １２、１１２・・ケース、  １３、１１３・・リアフレーム、  １４・・取付孔、  １５、１５ａ・・接続コネクタ部、  ２１・・外部接続コネクタ、  ２２、２２ａ・・取付板、  ２３、１１５・・ナット、  ２４・・コネクタ基板、  ２５・・内部接続コネクタ、  ３１、１１４、１２１・・外部コネクタ、  ３２、１２３・・内部基板Ａ、  ３３、１２４・・内部基板Ｂ、  ３４・・接続ケーブル、  ４１・・固定板、  １２２・・変換ブロック、  １３１・・壁、
【図１】
2010091735.tif 000003
【図２】
2010091735.tif 000004
【図３】
2010091735.tif 000005
【図４】
2010091735.tif 000006